(57)【特許請求の範囲】
【請求項１】
室の空気を吸い込む吸気口と、この吸気口から吸い込まれた空気を加熱して前記室へ吹き出す温風吹出口と、前記吸気口から吸い込んだ空気を戸外へ排気する換気排出口と、前記吸気口から前記室の空気を吸い込んで前記温風吹出口へ送風する温風発生用シロッコファンと、前記吸気口から前記室の空気を吸い込んで前記換気排出口へ送風する換気発生用シロッコファンと、前記温風発生用シロッコファンおよび換気発生用シロッコファンを回転させるモータと、前記換気排出口に設けたダンパーとを備え、この温風発生用シロッコファンと換気発生用シロッコファンの順方向が互いに逆になっている換気乾燥暖房装置であって、
前記換気発生用シロッコファンが逆方向に回転した際に、この換気発生用シロッコファンの所定部分により前記吸気口から前記室の空気を吸い込んで換気排出口から排気するように換気発生用シロッコファンのファンケーシングを形成し、
換気モード時は、前記モータを所定方向に回転させることにより前記換気発生用シロッコファンを順方向に回転させて前記室から空気を吸い込んで換気排気口から排出させ、
乾燥モード時は、前記モータを所定方向と逆方向に回転させることにより温風発生用シロッコファンを順方向に回転させて、前記吸気口から前記室の空気を吸い込んで前記温風吹出口から温風を前記室内へ吹き出させるとともに、換気発生用シロッコファンの逆回転により、前記吸気口から吸い込んだ前記室の空気の一部を換気として換気排出口から排気させ、
暖房モード時は、前記モータを所定方向と逆方向に回転させるとともに前記ダンパーにより前記換気排出口を閉鎖させて換気を停止させ、
前記モータの回転方向の切り替えとダンパーの開閉とによって換気モード、乾燥モードおよび暖房モードを行うことを特徴とする換気乾燥暖房装置。
【発明の詳細な説明】
【０００１】
【産業上の利用分野】
本発明は、浴室又は類似の室を洗濯物等の乾燥室としても利用することにより、住宅内のスペースを有効に利用することが出来るようにした浴室用の換気乾燥暖房装置に関するものである。
【０００２】
【従来の技術】
家庭用浴室を衣類等の乾燥装置として利用するには、浴室内と温風発生装置との間を循環する温風により浴室内の衣類等の被乾燥物の水分を蒸発させ、蒸発した水分を含んだ空気を少しづつ浴室内から戸外に排出し換気することによって行っている。しかし、冬の寒いときなどに浴室を暖めて入浴する際に、換気により浴室内に冷たい空気が流入し、ひんやりとした感じを入浴者に与えていた。
【０００３】
【発明が解決しようとする課題】
本発明は、乾燥と換気以外に暖房装置としての機能も果たせるようにするものであり、更にコストダウンを図るものである。
【０００４】
【課題を解決するための手段】
本発明は、室の空気を吸い込む吸気口と、この吸気口から吸い込まれた空気を加熱して前記室へ吹き出す温風吹出口と、前記吸気口から吸い込んだ空気を戸外へ排気する換気排出口と、前記吸気口から前記室の空気を吸い込んで前記温風吹出口へ送風する温風発生用シロッコファンと、前記吸気口から前記室の空気を吸い込んで前記換気排出口へ送風する換気発生用シロッコファンと、前記温風発生用シロッコファンおよび換気発生用シロッコファンを回転させるモータと、前記換気排出口に設けたダンパーとを備え、この温風発生用シロッコファンと換気発生用シロッコファンの順方向が互いに逆になっている換気乾燥暖房装置であって、
前記換気発生用シロッコファンが逆方向に回転した際に、この換気発生用シロッコファンの所定部分により前記吸気口から前記室の空気を吸い込んで換気排出口から排気するように換気発生用シロッコファンのファンケーシングを形成し、
換気モード時は、前記モータを所定方向に回転させることにより前記換気発生用シロッコファンを順方向に回転させて前記室から空気を吸い込んで換気排気口から排出させ、
乾燥モード時は、前記モータを所定方向と逆方向に回転させることにより温風発生用シロッコファンを順方向に回転させて、前記吸気口から前記室の空気を吸い込んで前記温風吹出口から温風を前記室内へ吹き出させるとともに、換気発生用シロッコファンの逆回転により、前記吸気口から吸い込んだ前記室の空気の一部を換気として換気排出口から排気させ、
暖房モード時は、前記モータを所定方向と逆方向に回転させるとともに前記ダンパーにより前記換気排出口を閉鎖させて換気を停止させ、
前記モータの回転方向の切り替えとダンパーの開閉とによって換気モード、乾燥モードおよび暖房モードを行うことを特徴とする。
【０００５】
【作用】
換気モードでは、モーターをａ方向に回転させ、換気発生用の遠心送風機により浴室内より吸い込んだ空気を戸外に排出するようにして換気する。
乾燥モードでは、モーターをｂ方向に回転させる。温風発生用の遠心送風機により浴室内より吸い込んだ湿った空気をヒーターで加熱し温風として浴室内に吹き出させ、循環させる。換気発生用の遠心送風機は、浴室内の湿った空気を少しづつ戸外に排出し、浴室内の空気を入れ換える。
暖房モードでは、乾燥モードにおけると同様に、モーターをｂ方向に回転させ、温風発生用の遠心送風機により浴室内の空気を吸い込み、ヒーターで暖め、温風として浴室内に送風し、浴室内に温風を循環させる。換気発生用遠心送風機で吸い込まれた浴室内の空気は、換気排出口に取り付けられ、閉鎖位置に固定されたダンパーにより、戸外に排出することを阻止される。従って、浴室内に冷たい空
気が流入することが殆どない。
【０００６】
【実施例】
図１は、本発明の１例を、上蓋部分を除去した状態において、概念図で示す。１は、換気乾燥暖房装置を示す。Ｉは、温風発生用シロッコファンであり、Ｊは、換気発生用シロッコファンである。シロッコファンＩは、乾燥モード及び暖房モードにおいて温風を発生させる温風発生用シロッコファン２である。シロッコファンＪは、換気モードにおいて換気を発生させるシロッコファン部分３と、乾燥モードにおいて換気を発生させるシロッコファン部分４とに分けられる。暖房モードでシロッコファンＪにより発生する換気は、後述するようにダンパーで阻止するようにしている。５は、モーター、６は、セラミックヒーターなどのヒーターである。７は、温風発生用吸入口、８は、換気発生用吸入口である。両吸入口（吸気口）は、一体であってもよい。９は、温風送風口（温風吹出口）である。１０は、戸外に連通するダクト（図示せず）に連結されるジョイントノズルである。
【０００７】
１１は、必要に応じて設けられる浴室以外の他室からの換気を吸入するためのジョイントノズルである。ａは、換気モードにおける換気の流れである。ｂは、暖房モード及び乾燥モードにおける温風を発生させるための空気の流れである。ｃは、乾燥モードにおける換気の流れである。
図２は、図１のＡ−Ａ断面図である。３−１は、換気モードにおいて換気を発生させるシロッコファン部分３に対応する部分のファンケーシングを示す。３−２は、送風口（換気排出口）であり、３−３は、ダンパーである。ａ，ｂ，ｃは、シロッコファン部分３の回転方向と、温風、換気等の流れの関係を示す。
図３は、図１のＢ−Ｂ断面図である。４−１は、乾燥モードにおいて換気を発生させるシロッコファン部分４に対応する部分のファンケーシングを示す。４−２は、送風口（換気排出口）であり、４−３は、ダンパーである。
【０００８】
図４は、図１のＣ−Ｃ断面図である。２−１は、ファンケーシングである。２−２は、温風発生用送風口である。
図５は、換気乾燥暖房装置１の正面図を示す。２−２は、温風発生用送風口を、３−２及び４−２は、換気の送風口を示す。３−３及び４−３は、ダンパーである。４−４は、電磁石を示す。ジョイントノズル１０の取付位置を２点鎖線で示した。
図６は、送風口３−２におけるダンパー３−３の取付方を示す。３−３ａは、ダンパー３−３の耳部、３−３ｂは、ダンパーの首部、３−３ｃは、ダンパーの回転軸である。耳部３−３ａは、ダンパー４−３の後部に位置する。１２は、取付ブラケットで、回転軸３−３ｃを差し込まれ、両側の弾性を有する腕部を取付穴に差し込んで固定する。１４は、隔壁部に設けた凹所である。
【０００９】
図７は、送風口４−２におけるダンパー４−３の取付方を示す。４−３ａは、ダンパー４−３の耳部、４−３ｂは、ダンパー４−３の首部、４−３ｃは、ダンパーの回転軸である。耳部４−３ａは、凹所１５に設けた電磁石４−４により暖房モードにおいて吸着される。１３は、取付ブラケットで、回転軸４−３ｃを差し込まれ、両側の弾性を有する腕部を取付穴に差し込んで着脱自在に固定する。図８は、シロッコファンＩ（Ｊ）の平面図である。図９は、そのＤ−Ｄ断面図である。２−３は、羽根、２−４は、補強リング、２−５は、皿状部、２−６は、ボス部、２−７は、補強リブである。シロッコファンＩ、Ｊは、同じ大きさ、形状にし、コストダウンを計るようにしてもよいし、夫々に異なった羽根形状又は大きさを有するようにし、送風の効率を重視するようにしてもよい。皿状部２−５は、３段に形成されているので強度にすぐれている。
【００１０】
図１０は、弁座１６、１７を設けたダンパー３−３’、４−３’を示す。３−２’、４−２’は、送風口、３−３ａ’、４−３ａ’は、耳部である。４−４’は、電磁石、１２’、１３’は、ブラケットである。
図１１は、換気モードにおける図１０に示すダンパー３−３’、４−３’の動作を示す。
図１２は、乾燥モードにおける図１０に示すダンパー３−３’、４−３’の動作を示す。
図１３は、暖房モードにおける図１０に示すダンパー３−３’、４−３’の動作を示す。
【００１１】
換気モードでは、シロッコファンＩ、Ｊが、図２、３、４においてａ方向に回転する。シロッコファン部分３は、順方向に回転し、浴室から吸い込んだ空気を送風口３−２より排出する。温風発生用シロッコファン２は、逆方向に回転するので、殆ど送風しない。シロッコファン部分４は、順方向に回転するが、ファンケーシング４−１の形状が、図３に示すように、吸い込み側で広く排出側で狭くなっているので、隣接するファンケーシング３−１側に流れ込む以外は、殆ど送風作用がない。ダンパー３−３は、最初、耳部３−３ａがダンパー４−３の後ろ側にあるので、ダンパー４−３も押し上げ、次に、ダンパー３−３の側辺ａがダンパー４−３の耳部４−３を押し上げ、図２又は図１１に示すように、開く。浴室から吸入された換気は、ジョイントノズル１０に接続されたダクト（図示せず）を通って、戸外に排出される。換気は、浴室の窓やドアの換気口（図示せず）より吸入され、換気乾燥暖房装置１により戸外に排出される。
【００１２】
乾燥モードでは、シロッコファンＩ、Ｊが、図２、３、４においてｂ、ｃ方向に回転する。温風発生用シロッコファン２は、順方向に回転し、浴室から吸い込んだ空気を、送風口２−２から吹き出し、ヒーター６で加熱して温風として、浴室内に送風する。シロッコファンＪは、逆方向に回転する。シロッコファン部分３に対応するファンケーシング３−１の形状が、図２に示すように順方向の回転に応じるようになっているので、逆方向に回転する場合、殆ど送風作用をしない。シロッコファンＪは逆方向に回転するが、シロッコファン部分４に対応するファンケーシング４−１の形状が、図３に示すように、この逆方向回転に対応し吸入側で狭く排出側で広くなっているので、送風作用をする。従って、換気乾燥暖房装置１は、浴室内の湿った空気の一部をヒーター６で暖めながら循環させ、他の湿った空気の一部を換気として戸外に排出する。この換気される空気は、浴室の窓やドアの換気口（図示せず）などから吸入され、浴室以外の乾いた空気と置き換わる。浴室内の洗濯物などが速やかに乾燥される。
【００１３】
暖房モードでは、前記乾燥モードにおいて、電磁石４−４を機能し、ダンパー４−３を閉鎖位置に固定する。ダンパー３−３も、その耳部３−３ａがダンパー４−３の後ろ側にあるので、押さえられて、図１３に示すように、同様に閉鎖位置に固定される。従って、実質的な換気を生じず、温風のみが浴室と換気乾燥暖房装置１とを循環し、入浴していてもひんやりとした風を受けず快適な入浴ができる。回転速度を乾燥モードより少し低くしても同様である。
【００１４】
【効果】
送風機の駆動モーターの回転方向を正逆転し、換気排出口に取り付けたダンパーを操作することにより、浴室又は類似の室を洗濯物等の乾燥室として使用でき、夏は涼しく、冬は暖かく入浴ができる。同じ大きさと形状をした遠心送風機乃至シロッコファンをモーターの両側に取り付けることによりコストダウンをはかることができる。
【図面の簡単な説明】
【図１】本発明の浴室用換気乾燥暖房装置の１例を、上蓋部分を取り除いた状態において、平面図で示す。
【図２】図１におけるＡ−Ａ断面図である。
【図３】図１におけるＢ−Ｂ断面図である。
【図４】図１におけるＣ−Ｃ断面図である。
【図５】図１における浴室用換気乾燥暖房装置の正面図である。
【図６】送風口３−２部分における拡大図である。
【図７】送風口４−２部分における拡大図である。
【図８】シロッコファンの１例を平面図で示す。
【図９】図８のシロッコファンの縦断面図である。
【図１０】ダンパーの他の例を示す。
【図１１】換気モードにおけるダンパーの動作を示す。
【図１２】乾燥モードにおけるダンパーの動作を示す。
【図１３】暖房モードにおけるダンパーの動作を示す。
【符号の説明】
Ｉ                          温風発生用シロッコファン
Ｊ                          換気発生用シロッコファン
１                          換気乾燥暖房装置
２                          温風発生用シロッコファン
２−１                      ファンケーシング
２−２                      送風口
２−３                      羽根
２−４                      補強リング
２−５                      皿状部
２−６                      ボス部
２−７                      補強リブ
３                          シロッコファン部分
３−１                      ファンケーシング
３−２                      送風口
３−３                      ダンパー
３−３ａ      耳部
３−３ｂ      首部
３−３ｃ      回転軸
４                          シロッコファン部分
４−１                      ファンケーシング
４−２                      送風口
４−３                      ダンパー
４−３ａ      耳部
４−３ｂ      首部
４−３ｃ      回転軸
４−４                      電磁石
５                          モーター
６                          ヒーター
７                          温風発生用吸入口
８                          換気発生用吸入口
９                          温風送風口
１０                        ジョイントノズル
１１                        ジョイントノズル
１２                        取付ブラケット
１３                        取付ブラケット
１４                        凹所
１５                        凹所
１６                        弁座
１７                        弁座
【図１】
0003665867.tif 000002
【図２】
0003665867.tif 000003
【図３】
0003665867.tif 000004
【図４】
0003665867.tif 000005
【図５】
0003665867.tif 000006
【図６】
0003665867.tif 000007
【図７】
0003665867.tif 000008
【図８】
0003665867.tif 000009
【図９】
0003665867.tif 000010
【図１０】
0003665867.tif 000011
【図１１】
0003665867.tif 000012
【図１２】
0003665867.tif 000013
【図１３】
0003665867.tif 000014